(57)【特許請求の範囲】
【請求項１】
ケース本体内壁に設けられた隔壁と、この隔壁の一方の面に一方の面側が取付けられたベースボードと、このベースボードの他方の面に一方の面が取付けられ複数の端子ピンが設けられた端子台とを具備する変換器において、
前記端子台の一方の面の前記複数の端子ピンのピン軸を中心に前記端子ピンの周囲にそれぞれ設けられたテーパー付穴と、
前記端子台の前記一方の面に一方の面が接して設けられ前記端子ピンが平面に直交して貫通され弾性を有する板状の弾性シートと、
前記テーパー付穴に対応して前記弾性シートの一方の面に一方の面が接して設けられ前記端子ピンが中心軸方向に貫通され他方の面側が前記テーパー付穴に挿入圧着変形されて前記テーパー付穴と前記端子ピンとのシールをなし弾性を有する筒状の第１の突起部と、  前記弾性シートの他方の面に前記他方の面が接して設けられたベースボードと
を具備したことを特徴とする変換器。
【請求項２】
前記ベースボードの前記他方の面に一方の面が接し他方の面が前記弾性シートの前記他方の面に接し前記端子ピンが前記面に直交して貫通され前記ベースボードと前記端子ピンとを絶縁する板状の絶縁プレート
を具備したことを特徴とする請求項１記載の変換器。
【請求項３】
前記端子ピンに対応して前記ベースボードの前記他方の面に一方の面が接して設けられ前記端子ピンが前記一方の面に直交して貫通され他方の面が前記弾性シートを押圧して前記第１の突起部のシール作用を押圧補強する筒状の第２の突起部
を具備したことを特徴とする請求項１記載の変換器。
【請求項４】
前記端子ピンに対応して前記絶縁プレートの前記他方の面に一方の面が接して設けられ前記端子ピンが前記一方の面に直交して貫通され他方の面が前記弾性シートを押圧して前記第１の突起部のシール作用を押圧補強する筒状の第３の突起部
を具備したことを特徴とする請求項２記載の変換器。
【発明の詳細な説明】
【技術分野】
【０００１】
本発明は、変換器に関するものである。
更に詳述すれば、フィールド機器で使用される耐圧防爆構造の変換器に関するものである。
【背景技術】
【０００２】
耐圧防爆構造の変換器では、外部から計器箱内部に爆発性ガスが侵入して点火爆発しても外部に悪い影響を与えないように、点火源を実質的に計器箱内部に隔離する構成になっている。
【０００３】
図９は従来より一般に使用されている従来例の要部構成説明図である。
図において、ケース本体１１の主要部は円筒状に形成されていて、その内壁の中央付近には隔壁１２が形成されている。
ベースボード１３は、この隔壁の一方の面１２１に一方の面側１３１が取付けられている。
【０００４】
端子台１４は、ベースボード１３の他方の面１３２に一方の面１４１が取付けられ、複数の端子ピン１５が設けられている。
なお、ベースボード１３の端子ピン１５が挿入貫通されている箇所には、樹脂が充填され樹脂固着部１６が形成されている。
【０００５】
端子ピン１５の先端には、ターミナルボード１７が取付けられている。
また、隔壁１２の一方の面１２１側には、アンプユニット１８が配置され、ターミナルボード１７とコネクタ２１によりコネクタ接続されている。
【０００６】
これにより、隔壁１２の一方の面側には、アンプユニット１８が、アンプ側カバー２２で覆われた変換器室Ａが形成されて、他方の面側には、端子台１４が端子側カバー２３で覆われた端子室Ｂが形成されている。
【先行技術文献】
【特許文献】
【０００７】
【特許文献１】特開２００８−１９１０００号公報
【発明の概要】
【発明が解決しようとする課題】
【０００８】
このような装置においては、以下の問題点がある。
防爆２室構造変換器ケースにおいては、爆発圧によるが、変換器室Ａと端子室Ｂとの間において、５ＭＰａ程度の水圧を掛けても漏れない気密構造が必要になる場合があった。
【０００９】
しかし、図９の構造のままでは、ヒートサイクルを行った後の耐水圧試験において、端子台１４と端子ピン１５との間から数ＭＰａで水漏れが発生してしまい、仕様を満足することができなかった。
即ち、端子ピン１５と樹脂固着部１６とでは、金属と樹脂との接続なので、密着性は完全ではなく、数ＭＰａで接続部から水漏れがすることがあった。
【００１０】
本発明の目的は、上記の課題を解決するもので、耐圧性が向上された変換器を提供することにある。
【課題を解決するための手段】
【００１１】
このような課題を達成するために、本発明では、請求項１の変換器においては、
ケース本体内壁に設けられた隔壁と、この隔壁の一方の面に一方の面側が取付けられたベースボードと、このベースボードの他方の面に一方の面が取付けられ複数の端子ピンが設けられた端子台とを具備する変換器において、前記端子台の一方の面の前記複数の端子ピンのピン軸を中心に前記端子ピンの周囲にそれぞれ設けられたテーパー付穴と、前記端子台の前記一方の面に一方の面が接して設けられ前記端子ピンが平面に直交して貫通され弾性を有する板状の弾性シートと、前記テーパー付穴に対応して前記弾性シートの一方の面に一方の面が接して設けられ前記端子ピンが中心軸方向に貫通され他方の面側が前記テーパー付穴に挿入圧着変形されて前記テーパー付穴と前記端子ピンとのシールをなし弾性を有する筒状の第１の突起部と、前記弾性シートの他方の面に前記他方の面が接して設けられたベースボードとを具備したことを特徴とする。
【００１２】
本発明の請求項２の変換器においては、請求項１記載の変換器において、
前記ベースボードの前記他方の面に一方の面が接し他方の面が前記弾性シートの前記他方の面に接し前記端子ピンが前記面に直交して貫通され前記ベースボードと前記端子ピンとを絶縁する板状の絶縁プレートを具備したことを特徴とする。
【００１３】
本発明の請求項３の変換器においては、請求項１記載の変換器において、
前記端子ピンに対応して前記ベースボードの前記他方の面に一方の面が接して設けられ前記端子ピンが前記一方の面に直交して貫通され他方の面が前記弾性シートを押圧して前記第１の突起部のシール作用を押圧補強する筒状の第２の突起部を具備したことを特徴とする。
【００１４】
本発明の請求項４の変換器においては、請求項２記載の変換器において、
前記端子ピンに対応して前記絶縁プレートの前記他方の面に一方の面が接して設けられ前記端子ピンが前記一方の面に直交して貫通され他方の面が前記弾性シートを押圧して前記第１の突起部のシール作用を押圧補強する筒状の第３の突起部を具備したことを特徴とする。
【発明の効果】
【００１５】
本発明の請求項１によれば、次のような効果がある。
端子台に設けられたテーパー付穴に対応して、弾性シートの一方の面に一方の端面が接して設けられ、端子ピンが貫通され他方の端面側がテーパー付穴に挿入圧着されて、テーパー付穴と端子ピンとのシールをなし弾性を有する筒状の第１の突起部が設けられたので、端子ピンの軸の外径面が締め付けられ、シール性が向上され、耐水圧性が向上された変換器が得られる。
【００１６】
本発明の請求項２によれば、次のような効果がある。
ベースボードの他方の面に一方の面が接し、他方の面が弾性シートの他方の面に接し、端子ピンが面に直交して貫通され、ベースボードと端子ピンとを絶縁する板状の絶縁プレートが設けられたので、ベースボードに強度が一般的に高い金属材料が使用でき、更に、シール性が向上され、耐水圧性が向上された変換器が得られる。
【００１７】
本発明の請求項３によれば、次のような効果がある。
端子ピンに対応して、ベースボードの他方の面に一方の面が接して設けられ、他方の面が弾性シートを押圧して第１の突起部のシール作用を押圧補強する筒状の第２の突起部が設けられたので、第１の突起部のシール作用を押圧補強でき、更に、シール性が向上され、耐水圧性が向上された変換器が得られる。
ベースボードを絶縁性のモールドにすることにより、絶縁プレートとベースボードが一体となり、より少ない部品で同じ効果が確保できる変換器が得られる。
【００１８】
本発明の請求項４によれば、次のような効果がある。
端子ピンに対応して絶縁プレートの他方の面に一方の面が接して設けられ他方の面が弾性シートを押圧して第１の突起部のシール作用を押圧補強する筒状の第３の突起部が設けられたので、ベースボードの絶縁性が確保できると共に、第１の突起部のシール作用を押圧補強する筒状の第３の突起部が設けられたので、第１の突起部のシール作用を押圧補強できる変換器が得られる。
【図面の簡単な説明】
【００１９】
【図１】本発明の一実施例の要部構成説明図である。
【図２】図１の組み立て説明図である。
【図３】本発明の他の実施例の要部構成説明図である。
【図４】図３の組み立て説明図である。
【図５】本発明の他の実施例の要部構成説明図である。
【図６】図５の組み立て説明図である。
【図７】本発明の他の実施例の要部構成説明図である。
【図８】図７の組み立て説明図である。
【図９】従来より一般に使用されている従来例の要部構成説明図である。
【発明を実施するための形態】
【００２０】
以下本発明を図面を用いて詳細に説明する。
図１は本発明の一実施例の要部構成説明図、図２は図１の組み立て説明図である。
図において、図９同一記号の構成は同一機能を表す。
以下、図９との相違部分のみ説明する。
【００２１】
図１、図２において、テーパー付穴３１は、端子台３２の一方の面３２１の複数の端子ピン３３のピン軸を中心に、端子ピン３３の周囲にそれぞれ設けられている。
弾性シート３４は、端子台３２の一方の面３２１に一方の面３４１が接して設けられ、端子ピン３３（の他方の端側）が平面に直交して貫通され弾性を有し板状をなす。
【００２２】
第１の突起部３５は、テーパー付穴３１に対応して、弾性シート３４の一方の面３４１に一方の面３５１が接して設けられ、端子ピン３３が中心軸方向に貫通され、他方の面側３５２が、テーパー付穴３１に挿入圧着変形されて、テーパー付穴３１と端子ピン３３とのシールをなし弾性を有し筒状をなす。
ベースボード３６は、弾性シート３４の他方の面３４２に、他方の面３６２が接して設けられている。
そして、ベースボード３６の一方の面３４１側は、隔壁１２の一方の面１２１に接して設けられている。
【００２３】
以上の構成において、端子台３２に弾性シート３４を挟んでベースボード３６に組み付ける。
【００２４】
この結果、
端子台３２に設けられたテーパー付穴３１に対応して、弾性シート３４の一方の面３４１に一方の端面３５１が接して設けられ、端子ピン３３が貫通され他方の端面側３５２がテーパー付穴３１に挿入圧着されて、テーパー付穴３１と端子ピン３３とのシールをなし弾性を有する筒状の第１の突起部３５が設けられたので、端子ピン３３の軸の外径面が締め付けられ、シール性が向上され、耐水圧性が向上された変換器が得られる。
【００２５】
図３は本発明の他の実施例の要部構成説明図、図４は図３の組み立て説明図である。
図３、図４において、絶縁プレート４１は、ベースボード３６の他方の面３６２に一方の面４１１が接し他方の面４１２が弾性シート３４の他方の面３４２に接し、端子ピン３３が面４１１、４１２に直交して貫通され、ベースボード３６と端子ピン３３とを絶縁し板状をなす。
【００２６】
以上の構成において、端子台３２に弾性シート３４を取り付け、絶縁プレート４１を挟んでベースボード３６に組み付ける。
【００２７】
この結果、ベースボード３６の他方の面３６２と弾性シート３４の他方の面３４２との間に設けられ、端子ピン３３が貫通され、ベースボード３６と端子ピン３３とを絶縁する絶縁プレート４１が設けられたので、ベースボード３６に、強度が一般的に高い金属材料が使用でき、更に、シール性が向上され、耐水圧性が向上された変換器が得られる。
【００２８】
図５は本発明の他の実施例の要部構成説明図、図６は図５の組み立て説明図である。
図５、図６において、第２の突起部５１は、端子ピン３３に対応して、ベースボード３６の他方の面３６２に一方の面５１１が接して設けられ、端子ピン３３が一方の面５１１に直交して貫通され、他方の面５１２が弾性シート３４を押圧して、第１の突起部３５のシール作用を押圧補強し筒状をなす。
【００２９】
以上の構成において、端子台３２に弾性シート３４を取り付け、ベースボード３６に組み付ける。
【００３０】
この結果、端子ピン３３に対応して、ベースボード３６の他方の面３６２に一方の面５１１が接して設けられ、他方の面５１２が弾性シート３４を押圧して第１の突起部３５のシール作用を押圧補強する筒状の第２の突起部５１が設けられたので、第１の突起部３５のシール作用を押圧補強でき、更に、シール性が向上され、耐水圧性が向上された変換器が得られる。
ベースボード３６を絶縁性のモールドにすることにより、絶縁プレートとベースボードが一体となり、より少ない部品で同じ効果が確保できる変換器が得られる。
【００３１】
図７は本発明の他の実施例の要部構成説明図、図８は図７の組み立て説明図である。
図７、図８において、第３の突起部６１は、端子ピン３３に対応して、絶縁プレート４１の他方の面４１２に一方の面６１１が接して設けられ、端子ピン３３が一方の面６１１に直交して貫通され、他方の面６１２が、弾性シート３４を押圧して、第１の突起部３５のシール作用を押圧補強し筒状をなす。
【００３２】
以上の構成において、端子台３２に弾性シート３４を取り付け、絶縁プレート４１を挟んでベースボード３６に組み付ける。
【００３３】
この結果、端子ピン３３に対応して絶縁プレート４１の他方の面４１２に一方の面６１１が接して設けられ、他方の面６１２が弾性シート３４を押圧して第１の突起部３５のシール作用を押圧補強する筒状の第３の突起部６１が設けられたので、ベースボード３６の絶縁性が確保できると共に、第１の突起部３５のシール作用を押圧補強できる変換器が得られる。
【００３４】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【符号の説明】
【００３５】
１１    ケース本体
１２    隔壁
１２１  一方の面
１２２  
１３    ベースボード
１３１  一方の面
１３２  他方の面
１４    端子台
１４１  一方の面
１５    端子ピン
１６    樹脂固着部
１７    ターミナルボード
１８    アンプユニット
２１    コネクタ
２２    アンプ側カバー
２３    端子側カバー
Ａ      変換器室
Ｂ      端子室
３１    テーパー付穴
３２    端子台
３２１  一方の面
３２２  
３３    端子ピン
３４    弾性シート
３４１  一方の面
３４２  他方の面
３５    第１の突起部
３５１  一方の面
３５２  他方の面
３６    ベースボード
３６１  一方の面
３６２  他方の面
４１    絶縁プレート
４１１  一方の面
４１２  他方の面
５１    第２の突起部
５１１  一方の面
５１２  他方の面
６１    第３の突起部
６１１  一方の面
６１２  他方の面
【図１】
0005601196.tif 000002
【図２】
0005601196.tif 000003
【図３】
0005601196.tif 000004
【図４】
0005601196.tif 000005
【図５】
0005601196.tif 000006
【図６】
0005601196.tif 000007
【図７】
0005601196.tif 000008
【図８】
0005601196.tif 000009
【図９】
0005601196.tif 000010